(57)【要約】【課題】  段鼻部材１５を階段構造体１の段鼻部に釘・ねじにより強固に固定する。【解決手段】  施工現場の工事完了近くにおいて階段用建材１３は図２に示すように施工される。蹴込板１６は接着剤により蹴込板張付面５ａに張り付けられ、踏板１４は接着剤により踏板張付面４ａに張り付けられる。蹴込板１６の後面は下地部材８の後面と面一となる。段鼻部材１５は、ねじ２２を水平部１９から下地部材８にねじ込むことにより、下地部材８に固定される。滑り止め材１７は、接着剤又は両面テープによりくぼみ２０に固定される。【選択図】  図２
2005336792.tif 000002
【特許請求の範囲】
【請求項１】
金属製又はコンクリート製の階段構造体の段鼻部に、上方及び後方に開放した凹所が形成され、この凹所に軟質素材からなる下地部材が嵌め止められ、この下地部材の上面が階段構造体の踏板張付面と面一となされている階段構造体。
【請求項２】
金属製又はコンクリート製の階段構造体の段鼻部に、上方及び後方に開放した凹所が形成され、この凹所に軟質素材からなる下地部材が嵌め止められ、この下地部材の上面が階段構造体の踏板張付面と面一となされ、階段構造体の踏板張付面に踏板が張り付けられ、階段構造体の蹴込板張付面に蹴込板が張り付けられ、前記下地部材に固定具により断面略逆Ｌ字状の段鼻部材が取り付けられ、段鼻部材の上部に形成された少なくとも上方に開放したくぼみに滑り止め材が嵌め止められ、前記踏板の後端部が下地部材の前部に被さっている階段。
【発明の詳細な説明】
【技術分野】
【０００１】
本発明は階段構造体及び階段に関する。
【背景技術】
【０００２】
従来の階段用建材として以下の如きものは知られている。
階段構造体の踏板張付面に張り付けられる踏板と、階段構造体の段鼻部に張り付けられる断面略逆Ｌ字状の段鼻部材と、階段構造体の蹴込板張付面に張り付けられる蹴込板とを有するものは知られている。
【０００３】
前記階段用建材は、施工現場の工事完了近くにおいて、階段構造体に取り付けられるものである。
【特許文献１】特開２００２−１０６，１３５号公報
【発明の開示】
【発明が解決しようとする課題】
【０００４】
前記従来の階段用建材の施工に当たり以下の如き欠点があった。
階段構造体が金属製又はコンクリート製である場合、段鼻部材を以下に述べる固定具により階段構造体の段鼻部に強固に取り付けることが出来ないという欠点があった。この明細書において、固定具とは、木質系素材又はそれに近似した性質を有する合成樹脂素材等の素材（この明細書において、軟質素材という。）に、それに何らの加工も施すことなく打ち込み又はねじ込むことが出来る釘・ねじ・タッカー等をいう。
【課題を解決するための手段】
【０００５】
本発明は前記欠点を解消するために以下の如き手段を採用した。
（１）請求項１の発明は、金属製又はコンクリート製の階段構造体の段鼻部に、上方及び後方に開放した凹所が形成され、この凹所に軟質素材からなる下地部材が嵌め止められ、この下地部材の上面が階段構造体の踏板張付面と面一となされている階段構造体である。
（２）請求項２の発明は、金属製又はコンクリート製の階段構造体の段鼻部に、上方及び後方に開放した凹所が形成され、この凹所に軟質素材からなる下地部材が嵌め止められ、この下地部材の上面が階段構造体の踏板張付面と面一となされ、階段構造体の踏板張付面に踏板が張り付けられ、階段構造体の蹴込板張付面に蹴込板が張り付けられ、前記下地部材に固定具により断面略逆Ｌ字状の段鼻部材が取り付けられ、段鼻部材の上部に形成された少なくとも上方に開放したくぼみに滑り止め材が嵌め止められ、前記踏板の後端部が下地部材の前部に被さっている階段である。
【発明の効果】
【０００６】
本発明は前記した如き構成によって以下の如き効果を奏する。
（１）請求項１の発明によれば、軟質素材からなる下地部材に段鼻部材を当てた後、段鼻部材の上から固定具を下地部材に打ち込み又はねじ込むことにより、段鼻部材を下地部材に強固に固定することが出来る。
（２）請求項２の発明によれば、踏板の後端部が下地部材の前部に被さっていて、下地部材を踏板で押えるかたちとなるので、下地部材の浮き上がりを防止することが出来る。
【発明を実施するための最良の形態】
【０００７】
以下に本発明の実施の形態を説明する。
なお、この説明において、前とは図１右側を、後とは同図左側をいい、左とは図１紙面裏側を、右とは同表側をいう。
【０００８】
金属製の階段構造体１は、左右一対の側げた３と、側げた３に、上下方向に所定間隔で且つ平面から見て相互にずれるようにして取り付けられた踏板取付板４と、上下の踏板取付板４を繋ぐ垂直な蹴込板取付板５とを有している。
【０００９】
前記踏板取付板４の上面が踏板張付面４ａとなされ、蹴込板取付板５の後面が蹴込板張付面５ａとなされている。
【００１０】
前記踏板取付板４の後部と蹴込板取付板５の上部とが突き合う段鼻部に、踏板取付板４の後部を断面倒Ｌ字状に折曲することにより、上方及び後方に開放した凹所７が形成されている。前記凹所７は踏板取付板４の左右方向全体に渡る長さとなされている。この凹所７に軟質素材からなる断面矩形の下地部材８が嵌め止められている。この下地部材８は、凹所７に接着剤で固定されると共に、凹所７の底部に形成された上下方向に貫通する所要個の貫通孔９を通じて下地部材８にねじ嵌められたねじ１０により固定されている。前記下地部材８の上面は踏板張付面４ａと面一となされている。また、下地部材８の後部は、後述の蹴込板１６の厚みに相当する長さだけ、蹴込板張付面５ａより後方に突出している。
【００１１】
施工現場の工事完了近くにおいて階段構造体１に取り付けられる階段用建材１３は、踏板張付面４ａに張り付けられる任意素材からなる踏板１４と、下地部材８（階段構造体１の段鼻部）に取り付けられる軟質素材からなる断面略逆Ｌ字状の段鼻部材１５と、蹴込板張付面５ａに張り付けられる任意素材からなる蹴込板１６と、段鼻部材１５の後述するくぼみ２０に取り付けられる任意素材からなる滑り止め材１７とを有している。
【００１２】
前記段鼻部材１５は、垂直部１８と、垂直部１８の、上端よりやや下部に前方突出状に設けられた水平部１９とを有している。そして、垂直部１８の上部と水平部１９とによって前方及び上方に開放したくぼみ２０が形成されている。
【００１３】
施工現場の工事完了近くにおいて階段用建材１３は図２に示すように施工される。
蹴込板１６は接着剤により蹴込板張付面５ａに張り付けられ、踏板１４は接着剤により踏板張付面４ａに張り付けられる。蹴込板１６の後面は下地部材８の後面と面一となる。段鼻部材１５は、ねじ２２を水平部１９から下地部材８にねじ込むことにより、下地部材８に固定される。滑り止め材１７は、接着剤又は両面テープによりくぼみ２０に固定される。なお、側げた３も装飾板（図示略）により装飾される。
【００１４】
図２から明らかなごとく、踏板１４の後端部は下地部材８の前部に被さり、段鼻部材１５の垂直部１８は下地部材８の後部に被さり、段鼻部材１５の水平部１９は下地部材８の後部上部に被さっている。
【００１５】
滑り止め材１７の上部の前後の張出部１７ａは、踏板１４の後部及び段鼻部材１５の垂直部１８の上部前部に被さっている。
【００１６】
以下に変形例等について説明を加える。
（１）段鼻部材１５の素材は任意である。なお、段鼻部材１５の素材が金属である場合、固定具を挿通するための貫通孔が形成されることは云うまでもない。
（２）下地部材８を凹所７に取り付ける手段は任意である。
（３）階段構造体はコンクリート製とすることもある。
（４）くぼみ２０は少なくとも上方に開放したものであればよい。
（５）請求項１の構成を一部に有する階段構造体も、請求項１の発明の技術的範囲に属するものである。
（６）請求項２の構成を一部に有する階段も、請求項２の発明の技術的範囲に属するものである。
【図面の簡単な説明】
【００１７】
【図１】本発明の実施の形態を示す要部断面図である。
【図２】図１のＡ部分拡大図である。
【符号の説明】
【００１８】
１  階段構造体
４ａ  踏板張付面
７  凹所
８  下地部材
【図１】
2005336792.tif 000003
【図２】
2005336792.tif 000004